(57)【要約】      （修正有）【課題】熱交換処理によって付着した水を適切に吸い取り除くことができる除水装置の提供。【解決手段】製袋充填機により生成・送り出される複数の包装袋Ｐ、Ｐ…からなる帯状体Ｗに対しなされる水を使った熱交換処理によってこの帯状体Ｗに付着した前記水をこの帯状体Ｗの搬送の過程において取り除く装置である。前記帯状体Ｗをロール周面１間に挟んで回転駆動される一対の除水ロールＲ、Ｒを有している。この一対の除水ロールＲ、Ｒはそれぞれ、前記ロール周面１を、ロール基軸の外側に備えられた吸水性と弾性とを備えた外周部２により形成させてなると共に、この外周部２を、前記ロール基軸の通し穴８ａを中心に備えた円板状体８の集合体から構成した。【選択図】図３
2013189224.tif 000002
【特許請求の範囲】
【請求項１】
製袋充填機により生成・送り出される複数の包装袋からなる帯状体に対しなされる水を使った熱交換処理によってこの帯状体に付着した前記水をこの帯状体の搬送の過程において取り除く装置であって、
前記帯状体をロール周面間に挟んで回転駆動される一対の除水ロールを有しており、
この一対の除水ロールはそれぞれ、前記ロール周面を、ロール基軸の外側に備えられた吸水性と弾性とを備えた外周部により形成させてなると共に、
この外周部を、前記ロール基軸の通し穴を中心に備えた円板状体の集合体から構成していることを特徴とする除水装置。
【発明の詳細な説明】
【技術分野】
【０００１】
この発明は、製袋充填機により生成される複数の包装袋からなる帯状体に対しなされる熱交換処理によってこの帯状体に付着した水をこの帯状体の搬送の過程において取り除く除水装置に関する。
【背景技術】
【０００２】
製袋充填機を含んで構成される包装ラインにおいては、水を使った熱交換処理がなされる場合が少なくない。典型的には、かかる熱交換処理は、前記製袋充填機により生成される複数の包装袋からなる帯状体を、水槽内に送り込み、水槽内の水と包装袋に封入された包装対象物との熱交換を行わせることでなされる。かかる熱交換処理後の前記帯状体の除水装置として、搬送される帯状体に対しエアを吹き付けこれに付着した水を吹き飛ばすようにしたものがあるが、かかるエアの吹き出し音は低減し難く、包装ラインにおける作業環境の向上などの観点から代替手法の提供が望まれるところである。熱交換処理後の帯状体を間に挟んで回転駆動される一対のロールに吸水性と弾性とを備えた外周部を備えさせ、この外周部において帯状体に付着した水を吸い取り取り除くようにすればこうした問題を解消し得る。しかるに、かかる帯状体を構成する包装袋はその厚さを、典型的には、その端側、具体的には、製袋充填機において施されるヒートシールの形成箇所側に近づくにつれて薄くするため、前記外周部を吸水性と弾性とを備えた単一の部材から構成した場合、包装袋の中央側に接する箇所での変形の影響を受けて包装袋の端側では前記ロール周面を包装袋の外面に密着させ難くなり、この包装袋の端側において水の取り残しを生じさせ易くなる。
【発明の概要】
【発明が解決しようとする課題】
【０００３】
この発明が解決しようとする主たる問題点は、この種の除水装置において、前記熱交換処理によってこの帯状体に付着した水をこの帯状体の全面に亘って適切に吸い取り除くことができるようにする点にある。
【課題を解決するための手段】
【０００４】
前記課題を達成するために、この発明にあっては、除水装置を、製袋充填機により生成・送り出される複数の包装袋からなる帯状体に対しなされる水を使った熱交換処理によってこの帯状体に付着した前記水をこの帯状体の搬送の過程において取り除く装置であって、
前記帯状体をロール周面間に挟んで回転駆動される一対の除水ロールを有しており、
この一対の除水ロールはそれぞれ、前記ロール周面を、ロール基軸の外側に備えられた吸水性と弾性とを備えた外周部により形成させてなると共に、
この外周部を、前記ロール基軸の通し穴を中心に備えた円板状体の集合体から構成したものとした。
【０００５】
かかる構成によれば、前記一対の除水ロールのロール周面を、前記帯状体を構成する包装袋の各位置においてこの包装袋の表面に密着させることができる。すなわち、かかる包装袋はその厚さを、典型的には、その端側に近づくにつれて薄くするため、前記外周部を吸水性と弾性とを備えた単一の部材から構成した場合、包装袋の中央側に接する箇所での変形の影響を受けて包装袋の端側では前記ロール周面を包装袋の外面に密着させ難くなる。しかるに、この実施の形態にかかる除水装置を構成する一対の除水ロールの前記外周部は前記円板状体の集合体からなることから、かかる外周部の各箇所の弾性変形は他の箇所に影響を与えることがなく、包装袋の厚い箇所においても薄い箇所においてもそれぞれ、この包装袋の表面に前記ロール周面を隙間なく接しさせることができる。この結果、この実施の形態にかかる除水装置によれば、前記帯状体に付着した水をこの帯状体の全面に亘って適切に吸い取り除くことができる。
【発明の効果】
【０００６】
この発明にかかる除水装置によれば、包装袋の厚い箇所においても薄い箇所においてもそれぞれ、この包装袋の表面に除水ロールのロール周面を隙間なく接しさせることができ、製袋充填機により生成される複数の包装袋からなる帯状体に対しなされる熱交換処理によってこの帯状体に付着した水をこの帯状体の全面に亘って適切に吸い取り除くことができる。
【図面の簡単な説明】
【０００７】
【図１】図１は実施の形態にかかる除水装置の平面図である。
【図２】図２は前記除水装置の側面図である。
【図３】図３は前記除水装置の断面図である。
【図４】図４は前記除水装置を構成する除水ロールの側面図である。
【図５】図５は前記除水ロールの断面図である。
【発明を実施するための形態】
【０００８】
以下、図１〜図５に基づいて、この発明の典型的な実施の形態について、説明する。この実施の形態にかかる除水装置は、製袋充填機により生成・送り出される複数の包装袋Ｐ、Ｐ…からなる帯状体Ｗに対しなされる水を使った熱交換処理によってこの帯状体Ｗに付着した前記水をこの帯状体Ｗの搬送の過程において取り除くものである。
【０００９】
すなわち、かかる除水装置は、三方シール包装機、四方シール包装機、縦形ピロータイプ包装機などの製袋充填機により生成される前記帯状体Ｗの表面に前記熱交換処理によって付着した前記水を取り除くために用いられるものである。典型的には、かかる製袋充填機には、巻き取られた状態で用意されたヒートシール可能なフィルムが繰り出し搬送される。搬送されるフィルムは、例えば三方シール包装機の場合であれば、先ず二つ折りにされ、次いでこのように二つ折りにされたフィルムは折った側と反対の側において搬送方向に沿ったシールが施されて筒状にされ、次いでこのように筒状にされたフィルムに対し搬送方向に交叉する向きのシールがこの搬送方向において生成する包装袋Ｐ一つ分の間隔を開けて順次施される。包装対象物は、先順位で施された前記搬送方向に交叉する向きのシールを充填底として筒状にされたフィルム内に充填される。これにより、隣り合う前記搬送方向に交叉する向きのシール間にそれぞれ包装対象物を封入した包装袋Ｐが連続的に生成され、このように生成される包装袋Ｐは前記帯状体Ｗとし製袋充填機から送り出される。
【００１０】
前記熱交換処理は、かかる製袋充填機により生成・送り出される前記帯状体Ｗを冷却又は加熱するために、より具体的には、これを構成する包装袋Ｐに封入された前記包装対象物を冷却又は加熱するためになされるものである。典型的には、かかる熱交換処理は、前記帯状体Ｗを、水槽内に送り込み、水槽内の水と包装対象物との熱交換を行わせることでなされる。
【００１１】
この実施の形態にかかる除水装置は、かかる熱交換処理後に、前記帯状体Ｗに付着した前記水をこの帯状体Ｗの搬送の過程において取り除くものである。すなわち、かかる除水装置は、前記熱交換処理をされて搬送されてくる前記帯状体Ｗを受け入れると共に、これの除水を施して次の処理に向けて送り出すようになっている。
【００１２】
かかる除水装置は、前記帯状体Ｗをロール周面１間に挟んで回転駆動される一対の除水ロールＲ、Ｒを有している。それと共に、かかる一対の除水ロールＲ、Ｒはそれぞれ、前記ロール周面１を、ロール基軸３の外側に備えられた吸水性と弾性とを備えた外周部２により形成させてなる。
【００１３】
図示の例では、一対の除水ロールＲ、Ｒは、ロール基軸３を水平に配し、かつ、そのロール周面１を他方の除水ロールＲのロール周面１に密着させるように配されている。前記帯状体Ｗは、このように配される一対の除水ロールＲ、Ｒの間に、下方から送り込まれ、上方に送り出されるようになっている。（図３）すなわち、一対の除水ロールＲ、Ｒの回転中心軸、すなわち、前記ロール基軸３の軸中心線は、前記帯状体Ｗの搬送方向に直交している。そして、図示の例では、図３における左側の除水ロールＲは反時計回りに回転し、右側の除水ロールＲは時計回りに回転される。
【００１４】
除水ロールＲは図中符号４で示されるフレームによりその一端側と他端側とをそれぞれ支持されている。図中符号５は除水ロールＲの一端側を支持するフレーム４と除水ロールＲの他端側を支持するフレーム４との間に架設されて両フレーム４、４を一体化させる左右一対の連結ロッドである。二つのフレーム４、４と二つの連結ロッド５、５により構成される枠状空間６内に除水ロールＲの前記外周部２が配され、前記帯状体Ｗは下方からこの枠状空間６内に送り込まれ一対の除水ロールＲ、Ｒの外周部２間に挟まれ枠状空間６より上方に送り出されるようになっている。
【００１５】
図示の例では、両フレーム４、４はそれぞれ、水平方向に長い除水ロールＲのロール基軸３の軸受け部材３ａの保持スロット４ａを備えている。保持スロット４ａの一端は固定壁４ｂとなっていると共に、保持スロット４ａ内には水平方向に移動される可動部材４ｃが備えられている。一対の除水ロールＲ、Ｒの一方のロール基軸３の軸受け部材３ａは固定壁４ｂに当接され、一対の除水ロールＲ、Ｒの他方のロール基軸３の軸受け部材３ａは可動部材４ｃに当接されると共に、保持スロット４ａ内において両除水ロールＲ、Ｒのロール基軸３の軸受け部材３ａ間には圧縮コイルバネ４ｄが介装されている。図示の例では、操作端７ａをフレーム４の外に位置させ且つ内端７ｂを保持スロット４ａ内において可動部材４ｃに押し当てる調整ネジ７がフレーム４に軸支されており、この調整ネジ７を螺進退させることにより、一対の除水ロールＲ、Ｒのロール基軸３間の距離を可変調整できるようにしてある。また、図示の例では、一対の除水ロールＲ、Ｒのロール基軸３の一端側は、この側を支持するフレーム４の外側に大きく突き出しており、この突きだし箇所３ｂに備えられる図示を省略するギアを介して図示しない駆動手段により動力の伝達を受けて両除水ロールＲ、Ｒは前記帯状体Ｗを前記のように受け入れ且つ送り出すように駆動される構成となっている。
【００１６】
そして、この実施の形態にあっては、前記一対の除水ロールＲ、Ｒの外周部２をそれぞれ、前記ロール基軸３の通し穴８ａを中心に備えた円板状体８の集合体から構成させている。
【００１７】
図示の例では、ロール基軸３は、金属製の棒状体から構成されている。また、このロール基軸３における前記枠状空間６内に位置される箇所は、太径部３ｃとなっている。前記円板状体８は、この太径部３ｃの外径に略等しい穴径の通し穴８ａを有する。そして、ロール基軸３における太径部３ｃに、この太径部３ｃを通し穴８ａに通して複数の円板状体８を隣り合う円板状体８の板面８ｂ同士が密着するように備えさせることにより、前記外周部２を形成させている。図示の例では、同寸同形の複数の円板状体８、８…から前記外周部２を形成させており、したがって、前記ロール周面１はロール基軸３の軸中心線に平行をなしている。図示の例では、ロール基軸３の太径部３ｃの左右にそれぞれ、鍔つきのスリーブ９が内側に太径部３ｃを通して備えられており、前記複数の円板状体８、８…はこの左右のスリーブ９、９間に挟み込まれている。左右のスリーブ９、９はその鍔間を図中符号１０で示すロッドにより連結させており、各円板状体８は通し穴８ａと前記ロール周面１となる端面８ｃとの間にこのロッドを通過させる貫通孔８ｄを有している。かかるロッド１０はロール基軸３の軸中心線を周回する方向において、９０度間隔で４カ所に設けられており、したがって、前記円板状体８の貫通孔８ｄも前記通し穴８ａを周回する方向において、９０度間隔で４カ所に設けられている。かかる一対の除水ロールＲ、Ｒの外周部２を構成する円板状体８は、典型的には、スポンジやポリウレタンフォームなどの発泡プラスチックから構成される。
【００１８】
これにより、この実施の形態にかかる除水装置にあっては、これを構成する一対の除水ロールＲ、Ｒのロール周面１を、前記帯状体Ｗを構成する包装袋Ｐの各位置においてこの包装袋Ｐの表面に密着させることができる。すなわち、かかる包装袋Ｐはその厚さを、典型的には、その端側、具体的には、前記シールの形成箇所側に近づくにつれて薄くするため、前記外周部２を吸水性と弾性とを備えた単一の部材から構成した場合、包装袋Ｐの中央側に接する箇所での変形の影響を受けて包装袋Ｐの端側では前記ロール周面１を包装袋Ｐの外面に密着させ難くなる。しかるに、この実施の形態にかかる除水装置を構成する一対の除水ロールＲ、Ｒの前記外周部２は前記円板状体８の集合体からなることから、かかる外周部２の各箇所の弾性変形は他の箇所に影響を与えることがなく、包装袋Ｐの厚い箇所においても薄い箇所においてもそれぞれ、この包装袋Ｐの表面に前記ロール周面１を隙間なく接しさせることができる。この結果、この実施の形態にかかる除水装置によれば、前記帯状体Ｗに付着した水をこの帯状体Ｗの全面に亘って適切に吸い取り除くことができる。
【００１９】
また、この実施の形態にあっては、前記一対の除水ロールＲ、Ｒの下方にそれぞれ、ロール上端側を除水ロールＲの外周部２の下端側に押しつけた脱水ロールＲ’が備えられている。かかる脱水ロールＲ’は前記二つのフレーム間に回動可能に架設されており、除水ロールＲの下端側はこの脱水ロールＲ’によって弾性変形されている。これにより、一対の除水ロールＲ、Ｒは前記帯状体Ｗの挟みつけ箇所において吸った水をこれより下方において脱水ローラにより絞り出され、絞り出された水は落下するようになっている。
【符号の説明】
【００２０】
Ｐ  包装袋
Ｗ  帯状体
Ｒ  除水ロール
１  ロール周面
２  外周部
３  ロール基軸
８  円板状体
８ａ  通し穴
【図１】
2013189224.tif 000003
【図２】
2013189224.tif 000004
【図３】
2013189224.tif 000005
【図４】
2013189224.tif 000006
【図５】
2013189224.tif 000007